(57)【要約】【課題】着信履歴に残っている電話番号が「ワン切り」によるものであるか否かを判別可能な通信端末装置および通信システムを提供すること。【解決手段】着信するたびに、その着信時から呼び出し終了時までの経過時間を計測する呼び出し時間計測部２１５と、呼び出し時間計測２１５による計測結果を、その呼び出しを行った発信元の電話番号と共に着信履歴として保存しておく着信履歴保存部２１３と、着信履歴保存部２１３に保存されている着信履歴を表示する表示部２１１とを備えて構成されている。通信端末装置のユーザは、着信履歴に残っている電話番号が「ワン切り」によるものであるか否かを、その電話番号と共に表示される呼び出し時間に基づいて判別することができる。すなわち、呼び出し時間が極端に短い場合、その電話番号は「ワン切り」によるものである可能性が高いと判断できる。【選択図】　　図２
2004104409.tif 000002
【特許請求の範囲】
【請求項１】
着信時から呼び出し終了時までの経過時間を着信のたびに計測する呼び出し時間計測手段と、
前記呼び出し時間計測手段によって計測された経過時間を、当該呼び出しを行った発信元の電話番号と共に着信履歴として保存しておく着信履歴保存手段と、
前記着信履歴保存手段に保存されている着信履歴を表示する着信履歴表示手段と、
を備えたことを特徴とする通信端末装置。
【請求項２】
通信端末装置同士が交換装置を介して通信を行う通信システムであって、
前記通信端末装置は、
着信時から呼び出し終了時までの経過時間を着信のたびに計測する呼び出し時間計測手段と、
前記呼び出し時間計測手段によって計測された経過時間を、当該呼び出しを行った発信元の電話番号と共に着信履歴として保存しておく着信履歴保存手段と、
前記着信履歴保存手段に保存されている着信履歴を表示する着信履歴表示手段と、
前記着信履歴を前記交換装置に通知する着信履歴通知手段と、を備え、
前記交換装置は、
前記通信端末装置から着信履歴を受け取ると、当該着信履歴に含まれている計測結果を発信元の電話番号ごとに蓄積していく加入者情報蓄積手段と、
前記加入者情報蓄積手段に蓄積された情報に基づいて、所定時間よりも短時間の呼び出しを所定回数以上行った発信元、または、前記所定時間よりも長時間の呼び出しを行った回数に対する前記所定時間よりも短時間の呼び出しを行った回数の割合が所定値以上の発信元を特定する発信元特定手段と、
前記発信元特定手段によって特定された発信元の情報を保存する発信元情報保存手段と、を備えたことを特徴とする通信システム。
【請求項３】
前記通信端末装置は、
前記発信元情報の通知を前記交換装置に要求する発信元情報要求手段を備え、
前記交換装置は、
前記通信端末装置からの前記要求に応じて、前記発信元情報を通知する発信元情報通知手段を備えたことを特徴とする請求項２記載の通信システム。
【請求項４】
前記交換装置は、
前記発信元情報を、当該発信元情報に該当する発信元の電話番号を含む前記着信履歴を通知してきた通信端末装置に通知する発信元情報通知手段を備えたことを特徴とする請求項２記載の通信システム。
【請求項５】
前記通信端末装置は、
前記交換装置から通知された前記発信元情報を表示する発信元情報表示手段を備えたことを特徴とする請求項３または４記載の通信システム。
【発明の詳細な説明】
【０００１】
【発明の属する技術分野】
本発明は、携帯電話機等の通信端末装置における迷惑電話対策技術に関する。
【０００２】
【従来の技術】
近年、携帯電話機等の通信端末装置にワンコール、ツーコールといった短時間の呼び出しを故意に行って、当該装置の着信履歴に電話番号を残し、その電話番号にかけ直させることにより、不特定多数の人を有料サービス等に誘い込む、いわゆる「ワン切り」と呼ばれる迷惑電話が横行している。その対策として、通信業者等はユーザに対し、心当たりのない電話番号や不審な電話番号へはかけ直しを行わないよう注意を促している。
【０００３】
【特許文献１】
特開平８−２１４０５２号公報
【０００４】
【発明が解決しようとする課題】
しかし、従来の通信端末装置では、着信履歴として電話番号とその着信時刻が表示されるのみであるため、着信履歴を見ただけでは、着信履歴に残っている電話番号が「ワン切り」によるものか否かを判別できないという問題点があった。
【０００５】
本発明は、上記従来の問題点に鑑みてなされたものであって、着信履歴に残っている電話番号が「ワン切り」によるものであるか否かを判別可能な通信端末装置および通信システムを提供することを目的としている。
【０００６】
【課題を解決するための手段】
上記目的を達成するために、本発明に係る通信端末装置は、着信時から呼び出し終了時までの経過時間を着信のたびに計測する呼び出し時間計測手段と、前記呼び出し時間計測手段によって計測された経過時間を、当該呼び出しを行った発信元の電話番号と共に着信履歴として保存しておく着信履歴保存手段と、前記着信履歴保存手段に保存されている着信履歴を表示する着信履歴表示手段と、を備えている。したがって、通信端末装置のユーザは、着信履歴に残っている電話番号が「ワン切り」によるものであるか否かを、その電話番号と共に表示される呼び出し時間に基づいて判別することができる。すなわち、呼び出し時間が極端に短い場合、その電話番号は「ワン切り」によるものである可能性が高いと判断できる。
【０００７】
また、本発明に係る通信システムは、通信端末装置同士が交換装置を介して通信を行う通信システムであって、前記通信端末装置は、着信時から呼び出し終了時までの経過時間を着信のたびに計測する呼び出し時間計測手段と、前記呼び出し時間計測手段によって計測された経過時間を、当該呼び出しを行った発信元の電話番号と共に着信履歴として保存しておく着信履歴保存手段と、前記着信履歴保存手段に保存されている着信履歴を表示する着信履歴表示手段と、前記着信履歴を前記交換装置に通知する着信履歴通知手段と、を備え、前記交換装置は、前記通信端末装置から着信履歴を受け取ると、当該着信履歴に含まれている計測結果を発信元の電話番号ごとに蓄積していく加入者情報蓄積手段と、前記加入者情報蓄積手段に蓄積された情報に基づいて、所定時間よりも短時間の呼び出しを所定回数以上行った発信元、または、前記所定時間よりも長時間の呼び出しを行った回数に対する前記所定時間よりも短時間の呼び出しを行った回数の割合が所定値以上の発信元を特定する発信元特定手段と、前記発信元特定手段によって特定された発信元の情報を保存する発信元情報保存手段と、を備えている。
【０００８】
上記のように構成された通信システムの通信端末装置では、着信があるたびに、その着信時から呼び出し終了時までの経過時間が計測され、その計測結果が、その呼び出しを行った発信元の電話番号と共に着信履歴として保存され、着信履歴として表示される。そして、着信履歴が交換装置に通知される。一方、交換装置では、着信履歴を受け取るごとに、計測結果を発信元の電話番号ごとに蓄積されていく。そして、蓄積された情報に基づいて、所定時間よりも短時間の呼び出しを所定回数以上行った発信元、または、所定時間よりも長時間の呼び出しを行った回数に対する所定時間よりも短時間の呼び出しを行った回数の割合が所定値以上の発信元が特定され、その情報が迷惑電話等の発信元情報として保存される。
【０００９】
したがって、本発明の通信システムによれば、通信端末装置のユーザは、着信履歴に残っている電話番号が「ワン切り」によるものであるか否かを、その電話番号と共に表示される呼び出し時間に基づいて判別することができ、通信業者等は、「ワン切り」を頻繁に行っている発信元を、交換装置に保存されている発信元情報に基づいて把握することができる。
【００１０】
また、本発明に係る通信システムは、前記通信端末装置は、前記発信元情報の通知を前記交換装置に要求する発信元情報要求手段を備え、前記交換装置は、前記通信端末装置からの前記要求に応じて、前記発信元情報を通知する発信元情報通知手段を備えていることが望ましい。したがって、通信端末装置のユーザは、交換装置から通知された発信元情報に基づいて、着信履歴に残っている電話番号が「ワン切り」によるものであるか否かを正確に判別することができる。
【００１１】
また、本発明に係る通信システムは、前記交換装置は、前記発信元情報を、当該発信元情報に該当する発信元の電話番号を含む前記着信履歴を通知してきた通信端末装置に通知する発信元情報通知手段を備えている。したがって、通信端末装置のユーザは、交換装置から通知された発信元情報に基づいて、着信履歴に残っている電話番号が「ワン切り」によるものであるか否かを正確に判別することができる。
【００１２】
さらに、本発明に係る通信システムは、前記通信端末装置は、前記交換装置から通知された前記発信元情報を表示する発信元情報表示手段を備えている。したがって、通信端末装置のユーザは、着信履歴に残っている電話番号が「ワン切り」によるものであるか否かを、発信元情報の表示内容に基づいてより正確に判別することができる。
【００１３】
【発明の実施の形態】
以下、本発明に係る通信端末装置および通信システムの実施の形態について、図面を参照して詳細に説明する。
【００１４】
図１は、本発明に係る通信システムの構成例を示すブロック図であり、通信端末装置１０１，１０３同士が交換装置１０２を介して通信を行う回線交換型の通信システムを示している。また、図２は通信端末装置１０１，１０３の構成例を示すブロック図、図３は交換装置１０２の構成例を示すブロック図である。
【００１５】
図２に示すように、通信端末装置１０１，１０３は、表示部２１１、操作部２１２、着信履歴保存部２１３、制御部２１４、呼び出し時間計測部２１５および送受信部２１６を備えて構成されている。なお、表示部２１１は特許請求の範囲の着信履歴表示手段または発信元情報表示手段に該当し、操作部２１２は発信元情報通知手段に該当し、着信履歴保存部２１３は着信履歴保存手段に該当し、制御部２１４は着信履歴通知手段または発信元情報要求手段に該当し、呼び出し時間計測部２１５は呼び出し時間計測手段に該当する。
【００１６】
表示部２１１は、発信または着信した電話番号や着信履歴、発信元情報、各種メッセージ等を表示するための表示デバイスである。操作部２１２は、オンフックボタンやオフフックボタン、ダイヤルキー、発信元情報問い合わせキー等の各種操作子からなる。呼び出し時間計測部２１５は、着信時から呼び出し終了時までの経過時間を計測するためのタイマーを備えている。着信履歴保存部２１３は、着信した電話番号、着信時刻、呼び出し時間計測部２１５による計測結果等を着信履歴として保存しておくためのメモリである。送受信部２１６は、通信回線２０２を介して交換装置２１６に接続されている。通信回線２０２は、有線または無線の回線である。制御部２１４は、ＣＰＵ、ＲＯＭ、ＲＡＭ等を備えて構成され、ＣＰＵがＲＡＭを作業領域に使用しつつ、ＲＯＭに格納されたプログラムに従って各種処理を実行することにより、通信端末装置１０１，１０３の各部を統括制御する。
【００１７】
図３に示すように、交換装置１０２は、制御部３１１、加入者情報保存部３１２および送受信部３１３を備えて構成されている。なお、制御部３１１は発信元特定手段または発信元情報通知手段に該当し、加入者情報保存部３１２は加入者情報蓄積手段または迷惑電話発信元情報保存手段に該当する。
【００１８】
加入者情報保存部３１２は、通信端末装置１０１，１０３から通知された着信履歴や、それに基づいて特定された迷惑電話の発信元情報等を保存しておくためのメモリである。送受信部３１３は、通信回線２０２を介して複数の通信端末装置１０１，１０３に接続されている。制御部３１１は、ＣＰＵ、ＲＯＭ、ＲＡＭ等を備えて構成され、ＣＰＵがＲＡＭを作業領域に使用しつつ、ＲＯＭに格納されたプログラムに従って各種処理を実行することにより、交換装置１０２内の各部を統括制御する。
【００１９】
次に、上記のように構成された通信システムの動作について説明する。ここでは、通信端末装置１０１を発信側通信端末装置、通信端末装置１０３を着信側通信端末装置とし、発信側通信端末装置１０１のユーザが、不特定の着信側通信端末装置１０３に電話をかけ、呼び出し状態となった直後に電話を切る、いわゆる「ワン切り」を行うものとする。
【００２０】
着信側通信端末装置１０３の制御部２１４は、着信があるたびに呼び出し時間計測部２１５を作動させて呼び出し時間を計測し、その計測結果を、その呼び出しを行った発信元の電話番号および着信時刻と共に着信履歴として着信履歴保存部２１３に保存する。そして、着信履歴保存部２１３に保存した着信履歴を表示部２１１に表示すると共に、送受信部２１６を作動させて交換装置１０２に通知する。一方、交換装置１０２の制御部３１１は、着信側通信端末装置１０３から通知された着信履歴に含まれる計測結果を、発信元の電話番号ごとに加入者情報保存部３１２に蓄積していく。
【００２１】
着信側通信端末装置１０３のユーザは、心当たりのない電話番号や不審な電話番号が着信履歴に残っていた場合には、操作部２１２のダイヤルキーおよび発信元情報問い合わせキーを操作して、当該電話番号が迷惑電話の発信元であるか否かの通知要求、すなわち発信元情報の通知要求を交換装置１０２に送信する。交換装置１０２の制御部３１１は、着信側通信端末装置１０３から発信元情報の通知要求を受け取ると、加入者情報保存部３１２に蓄積された情報に基づいて、通知要求のあった電話番号が迷惑電話の発信元であるか否かの判定、すなわち迷惑電話の発信元の特定を行う。そして、その結果を迷惑電話の発信元情報として加入者情報保存部３１２に保存すると共に、通知要求を送ってきた着信側通信端末装置１０３に通知する。
【００２２】
以下、図４のフローチャートに従って、迷惑電話の発信元の特定手順について説明する。交換装置１０２の制御部３１１は、着信側通信端末装置１０３から発信元情報の通知要求を受け取ると、まず、加入者情報保存部３１２に蓄積されている情報から、該当する電話番号の所定期間内の呼び出し時間の情報を全て取得する。そして、呼び出し時間が閾値１より短い発信数（Ｎ１）をカウントし（ステップＳ４０１）、続いて、呼び出し時間が閾値１より長い発信数（Ｎ２）をカウントする（ステップＳ４０２）。なお、閾値１は、ワンコール、ツーコール分の時間である。
【００２３】
その後、呼び出し時間が閾値１より短い発信数（Ｎ１）と閾値２とを比較し（ステップＳ４０３）、Ｎ１が閾値２以上の場合は（ステップＳ４０３でＹＥＳ）、発信元が呼び出し時間の短い発信を多量に行っていると判定する（ステップＳ４０４）。Ｎ１が閾値２未満の場合は（ステップＳ４０３でＮＯ）、呼び出し時間が閾値１より短い発信数（Ｎ１）と呼び出し時間が閾値１より長い発信数（Ｎ２）との割合（Ｎ１／Ｎ２）と閾値３とを比較する（ステップＳ４０５）。その結果、割合（Ｎ１／Ｎ２）が閾値３以上の場合は（ステップＳ４０５でＹＥＳ）、発信元が呼び出し時間の短い発信を多数回行っていると判定する（ステップＳ４０６）。また、割合（Ｎ１／Ｎ２）が閾値３未満の場合は（ステップＳ４０５でＮＯ）、発信元が呼び出し時間の短い発信を多数回行っていないと判定する（ステップＳ４０７）。
【００２４】
以上説明したように、本実施形態の通信端末装置および通信システムによれば、着信側通信端末装置１０３のユーザは、着信履歴に残っている電話番号が「ワン切り」によるものであるか否かを、その電話番号と共に表示部２１１に表示される呼び出し時間に基づいて判別することができる。また、着信履歴に心当たりのない電話番号や不審な電話番号が残っていた場合には、電話番号を指定して発信元情報の通知要求を交換装置１０２に送信することにより、交換装置１０２による判定結果を知ることができるため、該当する電話番号が「ワン切り」によるものであるか否かをより正確に判別することができる。
【００２５】
また、通信業者等は、「ワン切り」を頻繁に行っている発信元を、交換装置１０２の加入者情報保存部３１２に保存されている迷惑電話の発信元情報に基づいて把握することができる。したがって、迷惑電話の発信元情報を公表したり発信元を摘発するなどして、「ワン切り」による被害の拡大を防止したりすることができる。
【００２６】
なお、上記説明した実施形態では、交換装置１０２において迷惑電話の発信元を特定する処理を、着信側通信端末装置１０３からの迷惑電話の発信元情報の通知要求を待って実施しているが、通知要求の有無に関係なく迷惑電話の発信元を特定する処理を実施して、その情報を加入者情報保存部３１２に保存しておき、該当する発信元の電話番号を含む着信履歴を通知してきた着信側通信端末装置１０３に、その発信元が迷惑電話の発信元である旨を通知するようにしても良い。
【００２７】
【発明の効果】
以上説明したように、本発明に係る通信端末装置によれば、着信履歴として電話番号だけでなくその着信の際の呼び出し時間も表示されるため、ユーザは、着信履歴に残っている電話番号が「ワン切り」によるものである可能性が高いかどうかを容易に判断することができる。
【００２８】
また、本発明に係る通信システムによれば、通信端末装置のユーザは、着信履歴に残っている電話番号が「ワン切り」によるものであるか否かを、その電話番号と共に表示される呼び出し時間に基づいて判別することができ、通信業者等は、「ワン切り」を頻繁に行っている発信元を、交換装置に保存されている発信元情報に基づいて把握することができる。また、通信端末装置のユーザは、発信元情報の通知要求を交換装置に送信することにより、交換装置において特定された迷惑電話の発信元を知ることができるので、着信履歴に残っている電話番号が「ワン切り」によるものであるか否かをより正確に判別することができる。
【図面の簡単な説明】
【図１】本発明に係る一実施形態の通信システムの構成例を示すブロック図
【図２】本発明に係る一実施形態の通信端末装置の構成例を示すブロック図
【図３】図１に示す通信システムの交換装置の構成例を示すブロック図
【図４】迷惑電話の発信元の特定手順を例示するフローチャート
【符号の説明】
１０１，１０３　通信端末装置
１０２　交換装置
２０２　通信回線
２１１　表示部
２１２　操作部
２１３　着信履歴保存部
２１４　制御部
２１５　呼び出し時間計測部
２１６　送受信部
３１１　制御部
３１２　加入者情報保存部
【図１】
2004104409.tif 000003
【図２】
2004104409.tif 000004
【図３】
2004104409.tif 000005
【図４】
2004104409.tif 000006